(57)【特許請求の範囲】
【請求項１】
吹出空気が吹出される吹出口（１５）が形成されているケーシング（１１）と、
前記吹出空気の上下方向の流れを変更する水平羽根（３１）と、
前記吹出空気の流れ方向から外れており前記吹出空気の流れ方向とは異なる方向に位置する下面（３２ａ）に沿った方向に前記吹出空気が流れようとする現象であるコアンダ効果により、前記水平羽根によって風向が変更された前記吹出空気を前記下面に沿ったコアンダ気流にするコアンダ羽根（３２）と、
前記コアンダ羽根及び前記水平羽根の相対角度を第１角度範囲の所定角度に調整して前記コアンダ羽根の前記下面の略全域で前記コアンダ気流を発生させる第１気流状態と、前記相対角度を前記第１角度範囲よりも大きい第２角度範囲の所定角度に調整して前記コアンダ気流を発生させない第２気流状態と、のいずれかを選択的に用いるように、前記相対角度を調整可能な制御部（４０）と、
を備える、
空調室内機（１０）。
【請求項２】
前記相対角度を、第３角度範囲の所定角度に調整すると、前記コアンダ羽根の前記下面の一部で前記コアンダ気流が発生する第３気流状態となり、
前記第１角度範囲及び前記第２角度範囲は、前記第３角度範囲を除くように設定されている、
請求項１に記載の空調室内機。
【請求項３】
前記第１角度範囲の上限角度は、前記相対角度を前記第２角度範囲の所定角度から徐々に小さくした場合に、前記第３気流状態から前記第１気流状態に変化する角度以下の角度に設定されている、
請求項２に記載の空調室内機。
【請求項４】
前記第２角度範囲の下限角度は、前記相対角度を前記第１角度範囲の所定角度から徐々に大きくした場合に、前記第３気流状態から前記第２気流状態に変化する角度以上の角度に設定されている、
請求項２又は３に記載の空調室内機。
【請求項５】
前記相対角度を前記第１角度範囲の所定角度から徐々に大きくした場合に前記第１気流状態から前記第３気流状態に変化するときの角度と、前記相対角度を前記第３角度範囲の所定角度から徐々に小さくした場合に前記第３気流状態から前記第１気流状態に変化するときの角度とは、異なっている、
請求項２から４のいずれか１項に記載の空調室内機。
【請求項６】
前記相対角度を前記第２角度範囲の所定角度から徐々に小さくした場合に前記第２気流状態から前記第３気流状態に変化するときの角度と、前記相対角度を前記第３角度範囲の所定角度から徐々に大きくした場合に前記第３気流状態から前記第２気流状態に変化するときの角度とは、異なっている、
請求項２から５のいずれか１項に記載の空調室内機。
【請求項７】
前記ケーシング内に配置されており、前記ケーシング内に取り込んだ空気を前記吹出口に向かわせる気流を形成するファン（１４）を備え、
前記コアンダ気流は、前記吹出空気が前記水平羽根の規制面（３１ｂ）で規制された後に前記コアンダ羽根の前記下面に沿って流れることで発生しており、
前記ケーシングは、前記ファンの背面側から前記吹出口へと連なっており、前記吹出空気の流路（１８）下部を形成するスクロール面（１７）を含み、
前記第１気流状態が用いられる場合には、前記水平羽根の規制面が、前記スクロール面の仮想延長面よりも上側の位置にあるように設定されている、
請求項１から６のいずれか１項に記載の空調室内機。
【発明の詳細な説明】
【技術分野】
【０００１】
本発明は、コアンダ効果を利用して、吹出空気の流れを所定の方向へ誘導することが可能な空調室内機に関する。
【背景技術】
【０００２】
従来より、コアンダ効果を利用して、吹出空気の流れを所定の方向へ誘導することが可能な空調室内機がある。
【０００３】
例えば、特許文献１（特開２００３−２３２５３１号公報）に開示されている空気調和機では、吹出口の近傍で、かつ、吹出空気の通り道に横ルーバが配置されている。この空気調和機では、吹出空気が、コアンダ効果によって、横ルーバに沿った上向きのコアンダ気流となり、部屋の天井に向かって誘導されている。
【発明の概要】
【発明が解決しようとする課題】
【０００４】
ところで、本発明者は、コアンダ羽根と水平羽根とが共同して吹出空気をコアンダ効果によりコアンダ羽根の下面に沿ったコアンダ気流にする空調室内機において、コアンダ羽根及び水平羽根の相対角度とコアンダ気流との関係を検討したところ、コアンダ羽根及び水平羽根の相対角度の角度範囲として、コアンダ羽根の下面の略全域でコアンダ気流が発生する角度範囲と、コアンダ羽根の下面の略全域でコアンダ気流が発生する角度範囲よりも大きい角度範囲であってコアンダ気流が発生しない角度範囲と、が存在することを発見した。
【０００５】
そこで、本発明の課題は、コアンダ羽根と水平羽根とが共同して吹出空気をコアンダ羽根の下面に沿ったコアンダ気流にする空調室内機において、コアンダ羽根及び水平羽根の相対角度を調整することで、コアンダ気流を利用した気流状態及びコアンダ気流を利用しない気流状態のいずれの気流状態であっても、安定した気流を生じさせることにある。
【課題を解決するための手段】
【０００６】
本発明の第１観点に係る空調室内機は、ケーシングと、水平羽根と、コアンダ羽根と、制御部と、を備える。ケーシングには、吹出空気が吹き出される吹出口が形成されている。水平羽根は、吹出空気の上下方向の流れを変更する。コアンダ羽根は、吹出空気の流れ方向から外れており吹出空気の流れ方向とは異なる方向に位置する下面に沿った方向に吹出空気が流れようとする現象であるコアンダ効果により、水平羽根によって風向が変更された吹出空気をコアンダ羽根の下面に沿ったコアンダ気流にする。制御部は、第１気流状態と第２気流状態とのいずれかを選択的に用いるように、コアンダ羽根及び水平羽根の相対角度を調整可能である。第１気流状態とは、前記相対角度を第１角度範囲の所定角度に調整して、コアンダ羽根の下面の略全域でコアンダ気流を発生させる状態のことである。第２気流状態とは、前記相対角度を第１角度範囲よりも大きい第２角度範囲の所定角度に調整して、コアンダ気流を発生させない状態のことである。
【０００７】
本発明者は、コアンダ羽根と水平羽根とが共同して吹出空気をコアンダ効果によりコアンダ羽根の下面に沿ったコアンダ気流にする空調室内機において、コアンダ羽根及び水平羽根の相対角度とコアンダ気流との関係を検討したところ、コアンダ羽根及び水平羽根の相対角度の角度範囲として、コアンダ羽根の下面の略全域でコアンダ気流が発生する第１気流状態となる第１角度範囲と、第１角度範囲よりも大きい角度範囲であってコアンダ気流が発生しない第２気流状態となる第２角度範囲と、が存在することを発見した。
【０００８】
そこで、本発明の第１観点に係る空調室内機では、第１気流状態を用いる場合には、コアンダ羽根及び水平羽根の相対角度が、第１角度範囲の所定角度に調整される。また、第２気流状態を用いる場合には、コアンダ羽根及び水平羽根の相対角度が、第２角度範囲の所定角度に調整される。このように、この空調室内機では、コアンダ羽根及び水平羽根の相対角度を第１角度範囲又は第２角度範囲の所定角度に調整することで、第１気流状態と第２気流状態とのいずれかを選択的に用いることができる。
【０００９】
これによって、コアンダ気流を利用した第１気流状態、及び、コアンダ気流を利用しない第２気流状態のいずれの気流状態であっても、安定した気流を生じさせることができる。
【００１０】
本発明の第２観点に係る空調室内機は、第１観点の空調室内機において、前記相対角度を、第３角度範囲の所定角度に調整すると、コアンダ羽根の下面の一部においてコアンダ気流が発生する第３気流状態となる。また、第１角度範囲及び第２角度範囲は、第３角度範囲を除くように設定されている。
【００１１】
本発明者は、コアンダ羽根及び水平羽根の相対角度の角度範囲として、コアンダ羽根の下面の一部でコアンダ気流が発生する不安定な第３気流状態となる第３角度範囲があることを発見した。
【００１２】
そこで、本発明の第２観点に係る空調室内機では、第１角度範囲及び第２角度範囲が、第３気流状態となる第３角度範囲を除くように設定されている。このため、第１気流状態及び第２気流状態が用いられるときに、不安定な気流となるおそれを低減することができる。
【００１３】
これによって、第１気流状態及び第２気流状態のいずれの気流状態であっても、安定した気流を生じさせることができる。
【００１４】
本発明の第３観点に係る空調室内機は、第２観点の空調室内機において、第１角度範囲の上限角度は、前記相対角度を第２角度範囲の所定角度から徐々に小さくした場合に、第３気流状態から第１気流状態に変化する角度以下の角度に設定されている。この空調室内機では、第１角度範囲の上限角度が、第３気流状態から第１気流状態に変化する角度以下の角度に設定されているため、第１気流状態が用いられる場合に、不安定な気流となるおそれを低減することができ、この結果、安定したコアンダ気流を生じさせることができる。
【００１５】
本発明の第４観点に係る空調室内機は、第２観点又は第３観点の空調室内機において、第２角度範囲の下限角度は、前記相対角度を前記第１角度範囲の所定角度から徐々に大きくした場合に、第３気流状態から第２気流状態に変化する角度以上の角度に設定されている。この空調室内機では、第２角度範囲の下限角度が、第３気流状態から第２気流状態に変化する角度以上の角度に設定されているため、第２気流状態が用いられる場合に、不安定な気流となるおそれを低減することができ、この結果、コアンダ気流が発生するおそれを低減することができる。
【００１６】
本発明の第５観点に係る空調室内機は、第２観点から第４観点のいずれかの空調室内機において、前記相対角度を第１角度範囲の所定角度から徐々に大きくした場合に第１気流状態から第３気流状態に変化するときの角度と、前記相対角度を第３角度範囲の所定角度から徐々に小さくした場合に第３気流状態から第１気流状態に変化するときの角度とは、異なっている。この空調室内機では、第３角度範囲には、前記相対角度を第１角度範囲の所定角度から徐々に大きくした場合に第１気流状態から第３気流状態に変化するときの角度と、前記相対角度を第３角度範囲の所定角度から徐々に小さくした場合に第３気流状態から第１気流状態に変化するときの角度との間の角度範囲が含まれている。そして、第１角度範囲は第３角度範囲を除くように設定されているため、第３角度範囲に含まれる前記角度範囲も第１角度範囲から除かれている。これにより、第１気流状態が用いられるときに、不安定なコアンダ気流となるおそれを低減することができる。
【００１７】
本発明の第６観点に係る空調室内機は、第２観点から第５観点のいずれかの空調室内機において、前記相対角度を第２角度範囲の所定角度から徐々に小さくした場合に第２気流状態から第３気流状態に変化するときの角度と、前記相対角度を第３角度範囲の所定角度から徐々に大きくした場合に第３気流状態から第２気流状態に変化するときの角度とは、異なっている。この空調室内機では、第３角度範囲には、前記相対角度を第２角度範囲の所定角度から徐々に小さくした場合に第２気流状態から第３気流状態に変化するときの角度と、前記相対角度を第３角度範囲の所定角度から徐々に大きくした場合に第３気流状態から第２気流状態に変化するときの角度との間の角度範囲が含まれている。そして、第２角度範囲は第３角度範囲を除くように設定されているため、第３角度範囲に含まれる前記角度範囲も第２角度範囲から除かれている。これにより、第２気流状態が用いられるときに、不安定なコアンダ気流となるおそれを低減することができる。
【００１８】
本発明の第７観点に係る空調室内機は、第１観点から第６観点のいずれかの空調室内機において、ケーシング内に配置されており、ケーシング内に取り込んだ空気を吹出口に向かわせる気流を形成するファンを備える。また、コアンダ気流は、吹出空気が水平羽根の規制面で規制された後に、コアンダ羽根の下面に沿って流れることで発生している。さらに、ケーシングは、ファンの背面側から吹出口への連なっており、吹出空気の流路下部を形成するスクロール面を含む。そして、第１気流状態が用いられる場合には、水平羽根の規制面が、スクロース面の仮想延長面よりも上側の位置にあるように設定されている。
【００１９】
吹出空気を水平羽根の規制面で規制した後にコアンダ羽根の下面に向かわせることで、吹出空気をコアンダ羽根の下面に沿ったコアンダ気流にする構成の空調室内機では、水平羽根の規制面がスクロール面の仮想延長面よりも下側に位置する場合には、スクロール面の構造によっては、コアンダ羽根の下面に向かって吹出空気を規制できないことがある。
【００２０】
そこで、本発明の第７観点に係る空調室内機では、第１気流状態が用いられる場合には、水平羽根の規制面の位置をスクロール面の仮想延長面よりも上側に設定することで、吹出空気を水平羽根の規制面でコアンダ羽根の下面に向かって規制することができる。このため、第１気流状態が用いられる場合に、コアンダ気流が生じないおそれを低減することができる。
【発明の効果】
【００２１】
本発明の第１観点に係る空調室内機では、コアンダ羽根及び水平羽根の相対角度を、第１角度範囲又は第２角度範囲の所定角度に調整することで、コアンダ気流を利用した第１気流状態、及び、コアンダ気流を利用しない第２気流状態のいずれの気流状態であっても、安定した気流を生じさせることができる。
【００２２】
本発明の第２観点に係る空調室内機では、第１角度範囲及び第２角度範囲が第３角度範囲を除くように設定されているため、第１気流状態及び第２気流状態のいずれの気流状態であっても安定した気流を生じさせることができる。
【００２３】
本発明の第３観点に係る空調室内機では、第１角度範囲の上限角度が、第３気流状態から第１気流状態に変化する角度以下の角度に設定されているため、第１気流状態が用いられる場合に安定したコアンダ気流を生じさせることができる。
【００２４】
本発明の第４観点に係る空調室内機では、第２角度範囲の下限角度が第３気流状態から第２気流状態に変化する角度以上の角度に設定されているため、第２気流状態が用いられる場合にコアンダ気流が発生するおそれを低減することができる。
【００２５】
本発明の第５観点に係る空調室内機では、第３角度範囲に含まれる角度範囲が第１角度範囲から除かれているため、第１気流状態が用いられているときに、不安定なコアンダ気流となるおそれを低減することができる。
【００２６】
本発明の第６観点に係る空調室内機では、第３角度範囲に含まれる角度範囲が第２角度範囲から除かれているため、第２気流状態が用いられているときに、不安定なコアンダ気流となるおそれを低減することができる。
【００２７】
本発明の第７観点に係る空調室内機では、第１気流状態が用いられる場合には水平羽根の規制面の位置がスクロール面の仮想延長面よりも上側に設定されることで、第１気流状態が用いられるときにコアンダ気流が生じないおそれを低減することができる。
【図面の簡単な説明】
【００２８】
【図１】本発明の実施形態に係る運転停止時の空調室内機の断面図。
【図２】運転時の空調室内機の断面図。
【図３】運転時の空調室内機の断面図。
【図４Ａ】吹出空気が通常前吹き時の吹出口近傍の部分断面図。
【図４Ｂ】吹出空気が通常前方下吹き時の吹出口近傍の部分断面図。
【図４Ｃ】吹出空気がコアンダ気流天井吹き時の吹出口近傍の部分断面図。
【図４Ｄ】吹出空気がコアンダ気流前方吹き時の吹出口近傍の部分断面図。
【図４Ｅ】吹出空気が下吹き時の吹出口近傍の部分断面図。
【図５】コアンダ羽根及び水平羽根の羽根角度と吹出空気との関係を説明するための図。
【図６】コアンダ羽根の羽根角度及び水平羽根の羽根角度を説明するための図。
【図７】コアンダ羽根及び水平羽根の相対角度が第１角度範囲の所定角度にあるときの一例を示す図であって、（ａ）空調室内機の正面図、（ｂ）空調室内機の側面図、（ｃ）コアンダ羽根の外側面における吹出空気の流れを示す概略図。
【図８】コアンダ羽根及び水平羽根の相対角度が第２角度範囲の所定角度にあるときの一例を示す図であって、（ａ）空調室内機の正面図、（ｂ）空調室内機の側面図、（ｃ）コアンダ羽根の外側面における吹出空気の流れを示す概略図。
【図９】コアンダ羽根及び水平羽根の相対角度が第３角度範囲の所定角度にあるときの一例を示す図であって、（ａ）空調室内機の正面図、（ｂ）空調室内機の側面図、（ｃ）コアンダ羽根の外側面における吹出空気の流れを示す概略図。
【発明を実施するための形態】
【００２９】
以下、図面を参照しながら、本発明の実施形態について説明する。なお、以下の実施形態は、本発明の具体例であって、本発明の技術的範囲を限定するものではない。
【００３０】
（１）空調室内機の構成
図１は、本発明の第１実施形態に係る運転停止時の空調室内機１０の断面図である。図２は、コアンダ気流利用モード実行時の空調室内機１０の断面図である。図３は、斜め方向から視たコアンダ気流利用モード実行時の空調室内機１０の断面図である。
【００３１】
空調室内機１０は、室内の壁面に取り付けられる壁掛け型の空調室内機であり、本体ケーシング１１、室内熱交換器１３、室内ファン１４、底フレーム１６、及び制御部４０を備えている。
【００３２】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００３３】
天面部１１ａは、本体ケーシング１１の上部に位置し、天面部１１ａの前部には、吸込口１９が設けられている。
【００３４】
前面パネル１１ｂは空調室内機１０の前面部を構成しており、吸込口１９がないフラットな形状を成している。また、前面パネル１１ｂは、その上端が天面部１１ａに回動自在に支持され、ヒンジ式に動作することができる。
【００３５】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３６】
本体ケーシング１１の下部には、吹出口１５が設けられている。吹出口１５には、吹出口１５から吹き出される吹出空気の上下方向の流れを変更する水平羽根３１が回動自在に取り付けられている。水平羽根３１は、モータ（図示せず）によって駆動し、吹出空気の上下方向の流れを変更するだけでなく、吹出口１５を開閉することもできる。また、水平羽根３１は、傾斜角度が異なる複数の姿勢を採ることが可能である。
【００３７】
また、吹出口１５の近傍であって、水平羽根３１の上方には、コアンダ羽根３２が設けられている。コアンダ羽根３２は、モータ（図示せず）によって駆動して、傾斜角度が異なる複数の姿勢を採ることが可能である。なお、コアンダ羽根３２は、運転停止時に前面パネル１１ｂに設けられた収容部６０に収容される。
【００３８】
さらに、吹出口１５は、吹出流路１８によって本体ケーシング１１の内部と繋がっている。吹出流路１８は、吹出口１５から底フレーム１６のスクロール面１７に沿って形成されている。
【００３９】
室内空気は、室内ファン１４の稼動によって吸込口１９、室内熱交換器１３を経て室内ファン１４に吸い込まれ、室内ファン１４から吹出流路１８を経て吹出口１５から吹き出される。
【００４０】
制御部４０は、本体ケーシング１１を前面パネル１１ｂから視て室内熱交換器１３及び室内ファン１４の右側方に位置しており、室内ファン１４の回転数制御や水平羽根３１及びコアンダ羽根３２の動作制御を行う。また、制御部４０は、水平羽根３１及びコアンダ羽根３２を独立して駆動させる。
【００４１】
（２）詳細構成
（２−１）前面パネル
前面パネル１１ｂは、図１に示すように、本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部６０を成している。収容部６０の表面もなだらかな円弧曲面である。
【００４２】
（２−２）吹出口
吹出口１５は、図１に示すように、本体ケーシング１１の下部に形成されており、本体ケーシング１１の長手方向を長辺とする長方形の開口である。吹出口１５の下端部（後端部）は下部水平板１１ｄの前方エッジに接しており、吹出口１５の下端部（後端部）と上端部（前端部）とを結ぶ仮想面は前方上向きに傾斜している。
【００４３】
（２−３）スクロール面
スクロール面１７は、室内ファン１４に対峙するように湾曲した隔壁であり、底フレーム１６の一部である。また、スクロール面１７は、吹出流路１８の下部を形成しており、スクロール面１７の終端Ｆは、吹出口１５の周縁近傍まで到達している。吹出流路１８を通る空気は、スクロール面１７に沿って進み、スクロール面１７の終端Ｆの接線方向に送られる。したがって、吹出口１５に水平羽根３１がなければ、吹出口１５から吹き出される吹出空気が向かう方向は、スクロール面１７の終端Ｆの接線Ｌ０に概ね沿った方向になる（図２参照）。
【００４４】
（２−４）垂直羽根
垂直羽根２０は、複数の羽根片２１と、複数の羽根片２１を連結する連結棒２３を有している（図１及び図２参照）。また、垂直羽根２０は、吹出流路１８において、水平羽根３１よりも室内ファン１４近傍に配置されている。
【００４５】
複数枚の羽根片２１は、連結棒２３が吹出口１５の長手方向に沿って水平往復移動することによって、その長手方向に対して垂直な状態を中心に左右に揺動する。なお、連結棒２３は、モータ（図示せず）によって水平往復移動する。
【００４６】
（２−５）水平羽根
水平羽根３１は、空調室内機１０の長手方向に長い板状の部材であって、吹出口１５を塞ぐことができる程度の面積を有している。水平羽根３１が吹出口１５を閉じた状態において、その外側面３１ａは前面パネル１１ｂの曲面の延長上にあるような外側に凸のなだらかな円弧曲面に仕上げられている。また、水平羽根３１の内側面３１ｂも、外側面３１ａにほぼ平行な円弧曲面を成している。なお、本実施形態では、水平羽根３１の内側面３１ｂが円弧曲面を成しているが、水平羽根の内側面が平面であってもよい。
【００４７】
水平羽根３１は、下端部（後端部）に回動軸３７を有している。回動軸３７は、吹出口１５の下端部（後端部）近傍で、本体ケーシング１１に固定されているステッピングモータ（図示せず）の回転軸に連結されている。
【００４８】
回動軸３７が図１の正面視反時計方向に回動することによって、水平羽根３１の上端部（前端部）が吹出口１５の上端部（前端部）側から遠ざかるように動作して、吹出口１５を開ける。逆に、回動軸３７が図１の正面視時計方向に回動することによって、水平羽根３１の上端部（前端部）が吹出口１５の上端部（前端部）側へ近づくように動作して、吹出口１５を閉じる。
【００４９】
水平羽根３１が吹出口１５を開けている状態において、吹出口１５から吹き出された吹出空気は、水平羽根３１の内側面３１ｂに概ね沿って流れる。このため、水平羽根３１の内側面３１ｂがスクロール面１７の終端Ｆの接線Ｌ０よりも上側にある場合には、スクロール面１７の終端Ｆの接線方向に概ね沿って吹き出された吹出空気は、その風向きが水平羽根３１によって上向きに変更される。
【００５０】
（２−６）コアンダ羽根
コアンダ羽根３２は、空調室内機１０の長手方向に長い板状の部材である。なお、本実施形態では、コアンダ羽根３２の長手方向の寸法は、水平羽根３１の長手方向の寸法以上となるように、設計されている。
【００５１】
また、コアンダ羽根３２の外側面３２ａは、コアンダ羽根３２が収容部６０に収容された状態で、前面パネル１１ｂのなだらかな円弧曲面の延長上にあるような外側に凸のなだらかな円弧曲面に仕上げられている。さらに、コアンダ羽根３２の内側面３２ｂは、収容部６０の表面に沿うような円弧曲面に仕上げられている。なお、本実施形態では、コアンダ羽根３２の外側面３２ａが円弧曲面を成しているが、コアンダ羽根３２の外側面３２ａが平面であってもよい。
【００５２】
また、コアンダ羽根３２は、空調運転が停止している場合や後述する通常吹出モードで運転している場合は、収容部６０に収納されている。
【００５３】
そして、コアンダ羽根３２は、回動することによって収容部６０から離れて、前後方向に傾斜した姿勢を採る。コアンダ羽根３２の回動軸３８は、収容部６０の下端近傍で且つ本体ケーシング１１の内側の位置（吹出流路１８上壁の上方の位置）に設けられており、コアンダ羽根３２の下端部と回動軸３８とは所定の間隔を保って連結されている。それゆえ、回動軸３８が回動してコアンダ羽根３２の上端部が前面パネル１１ｂの収容部６０から離れるほど、コアンダ羽根３２の下端部の高さ位置は低くなるように回転する。また、コアンダ羽根３２が回動して開いたときの傾斜は、前面パネル１１ｂの傾斜よりも緩やかである。
【００５４】
さらに、回動軸３８が図１の正面視反時計方向に回動することによって、コアンダ羽根３２の上端部および下端部ともに円弧を描きながら収容部６０から離れるが、そのとき、コアンダ羽根３２の上端部と収容部６０との最短距離は、コアンダ羽根３２の下端部と収容部６０との最短距離より大きい。そして、回動軸３８が図１の正面視時計方向に回動することによって、コアンダ羽根３２は収容部６０に近づき、最終的に収容部６０収容される。
【００５５】
なお、コアンダ羽根３２の姿勢には、例えば、図４Ａ、図４Ｂに示すように、収容部６０に収納された姿勢の他に、図４Ｃに示すように、回転して前方上向きに傾斜した姿勢、図４Ｄに示すように、さらに回転してほぼ水平な姿勢、そして、図４Ｅに示すように、さらに回転して前方下向きに傾斜した姿勢などが含まれる。
【００５６】
（３）吹出空気の方向制御
空調室内機１０は、吹出空気の方向を制御する手段として、水平羽根３１のみを回動させて吹出空気の方向を調整する通常吹出モードと、水平羽根３１及びコアンダ羽根３２を回動させて吹出空気の方向を調整するコアンダ気流利用モードと、水平羽根３１及びコアンダ羽根３２それぞれの先端を前方下向きにして吹出空気を下方に導く下吹きモードと、を有している。
【００５７】
水平羽根３１及びコアンダ羽根３２は、上記各モードにおいて、空気の吹出方向ごとに、その姿勢が変化する。なお、各モードにおける水平羽根３１及びコアンダ羽根３２のそれぞれの姿勢は、制御部４０の有する記憶部（図示せず）に記憶されている。制御部４０がコアンダ羽根３２及び水平羽根３１のそれぞれの姿勢を調整することで、各モードにおける吹出空気の制御が実現する。また、通常吹出モード及びコアンダ気流利用モードで採用される水平羽根３１及びコアンダ羽根３２のそれぞれの姿勢については、後に詳しく説明する。
【００５８】
また、吹出方向の選択は、ユーザーがリモコン５０等を介して行なうことができるものとする。さらに、モードの変更や吹出方向は自動的に変更されるように制御することも可能である。
【００５９】
（３−１）通常吹出モード
通常吹出モードは、水平羽根３１のみを回動させて、吹出空気をコアンダ羽根３２の外側面３２ａに沿わせたコアンダ気流にしないで吹出空気の方向を調整するモードである。以下に、通常吹出モードの例として「通常前吹き」と「通常前方下吹き」とを説明する。
【００６０】
ユーザーが「通常前吹き」を選択したとき、制御部４０は水平羽根３１の内側面３１ｂが略水平になる位置まで水平羽根３１を回動させる（図４Ａ参照）。この結果、吹出空気は、水平羽根３１の内側面３１ｂに沿った前方吹きの気流になる。
【００６１】
また、ユーザーは吹出方向を「通常前吹き」よりも下方に向けたいとき、「通常前方下吹き」を選択すればよい。このとき、制御部４０は、水平羽根３１の内側面３１ｂを、水平よりも前下がりになるまで水平羽根３１を回動させる（図４Ｂ参照）。この結果、吹出空気は、水平羽根３１の内側面３１ｂに沿った前方下向きの気流になる。
【００６２】
（３−２）コアンダ気流利用モード
コアンダ（効果）とは、気体や液体の流れのそばに壁があると、流れの方向と壁の方向とが異なっていても、壁面に沿った方向に流れようとする現象である（朝倉書店「法則の辞典」）。そして、コアンダ気流利用モードは、このコアンダ効果を利用したモードであって、水平羽根３１及びコアンダ羽根３２を回動させてコアンダ効果によって吹出空気をコアンダ羽根３２の外側面３２ａに沿ったコアンダ気流にするモードである。以下に、コアンダ気流利用モードの例として「コアンダ気流天井吹き」と「コアンダ気流前方吹き」とを説明する。
【００６３】
ユーザーによって「コアンダ気流天井吹き」が選択されたとき、制御部４０は水平羽根３１の内側面３１ｂが略水平になるまで水平羽根３１を回動させる。次に、制御部４０は、コアンダ羽根３２の外側面３２ａが前方上向きとなるまでコアンダ羽根３２を回動させる。これにより、水平羽根３１で水平吹きに調整された吹出空気は、コアンダ効果によってコアンダ羽根３２の外側面３２ａに付着した流れとなり、外側面３２ａに沿ったコアンダ気流に変わる。
【００６４】
したがって、図４Ｃに示すように、水平羽根３１の前方端Ｅ１における接線Ｌ１方向が前方吹きであっても、コアンダ羽根３２の前方端Ｅ２における接線Ｌ２方向が前方上吹きであるので、吹出空気は、コアンダ効果によってコアンダ羽根３２の外側面３２ａの前方端Ｅ２における接線Ｌ２方向、すなわち天井方向に吹き出される。
【００６５】
また、ユーザーによって「コアンダ気流前方吹き」が選択されたとき、制御部４０は、水平羽根３１の内側面３１ｂが水平よりも前下がりになるまで水平羽根３１を回動させる。次に、制御部４０は、コアンダ羽根３２の外側面３２ａが略水平になる位置までコアンダ羽根３２を回動させる。これにより、水平羽根３１で前方下吹きに調整された吹出空気は、コアンダ効果によってコアンダ羽根３２の外側面３２ａに付着した流れとなり、外側面３２ａに沿ったコアンダ気流に変わる。
【００６６】
したがって、図４Ｄに示すように、水平羽根３１の前方端Ｅ１における接線Ｌ１方向が前方下吹きであっても、コアンダ羽根３２の前方端Ｅ２における接線Ｌ２方向が水平であるので、吹出空気は、コアンダ効果によってコアンダ羽根３２の外側面３２ａの前方端Ｅ２における接線Ｌ２方向、すなわち水平方向に吹き出される。
【００６７】
（３−３）下吹きモード
ユーザーによって「下吹き」が選択されたとき、制御部４０は水平羽根３１の内側面３１ｂが下向きなるまで水平羽根３１を回動させる（図４Ｅ参照）。次に、制御部４０は、コアンダ羽根３２の外側面３２ａが下向きとなるまでコアンダ羽根３２を回動させる（図４Ｅ参照）。その結果、吹出空気は、水平羽根３１とコアンダ羽根３２との間を通過し、下向きに吹き出される。
【００６８】
特に、水平羽根３１が、スクロール面１７の終端Ｆの接線Ｌ０よりも下向きの角度になったときでも、制御部４０が下吹きモードを実行することによって、コアンダ羽根３２の外側面３２ａに当てて下向きの気流を生成することができる。
【００６９】
（４）コアンダ羽根及び水平羽根のそれぞれの姿勢について
以下に、通常吹出モード及びコアンダ気流利用モードで採用したコアンダ羽根３２及び水平羽根３１のそれぞれの姿勢について説明する。
【００７０】
ここで、本実施形態に係る空調室内機１０のように、コアンダ羽根３２と水平羽根３１とが共同して、吹出空気をコアンダ羽根３２の外側面３２ａに沿ったコアンダ気流にする場合、コアンダ羽根３２の外側面３２ａにコアンダ効果を生じさせるには、水平羽根３１の内側面３１ｂによって変更された吹出空気の方向の傾斜が、コアンダ羽根３２の姿勢（傾斜）に近くなる必要がある。そして、両者が離れすぎていると、コアンダ羽根３２においてコアンダ効果が生じない。
【００７１】
このため、吹出空気を、コアンダ羽根３２の外側面３２ａに沿ったコアンダ気流にするためには、コアンダ羽根３２と水平羽根３１とによって形成される開き角度を所定の角度以下の角度に、すなわち、コアンダ羽根３２と水平羽根３１との相対角度を前記所定の角度以下の角度にする必要がある。そして、コアンダ羽根３２及び水平羽根３１の相対角度を前記所定の角度以下の角度にすることで、吹出空気をコアンダ羽根３２の外側面３２ａに沿ったコアンダ気流にすることができる。この結果、吹出空気の風向きが、水平羽根３１によって変更された後、さらにコアンダ効果により変更される。
【００７２】
このことから、本発明者は、コアンダ気流の生じるコアンダ羽根３２及び水平羽根３１の相対角度の角度範囲と、コアンダ気流の生じないコアンダ羽根３２及び水平羽根３１の相対角度の角度範囲とを規定して、コアンダ羽根３２及び水平羽根３１の相対角度が各角度範囲に属する所定角度となる所定の姿勢をコアンダ羽根３２及び水平羽根３１に採らせることで、コアンダ気流を利用する気流状態であっても、コアンダ気流を利用しない気流状態であっても、安定した気流を生じさせることができると考えた。
【００７３】
そこで、本発明者は、コアンダ羽根３２及び水平羽根３１の様々な羽根角度組合せを用いて、コアンダ羽根３２及び水平羽根３１の相対角度とコアンダ気流との関係について検討した。以下に、コアンダ羽根３２及び水平羽根３１の相対角度とコアンダ気流との関係についての評価試験の結果を、図を用いて説明する。
【００７４】
図５は、コアンダ羽根３２及び水平羽根３１の羽根角度組合せと、吹出空気との関係を説明するための図である。なお、図５において、θ１は、後述する第３気流状態から第１気流状態に変化したときのコアンダ羽根３２及び水平羽根３１の羽根角度組合せを示しており、θ２は、後述する第１気流状態から第３気流状態に変化したときのコアンダ羽根３２及び水平羽根３１の羽根角度組合せを示しており、θ３は、後述する第２気流状態から第３気流状態に変化したときのコアンダ羽根３２及び水平羽根３１の羽根角度組合せを示しており、θ４は、後述する第３気流状態から第２気流状態に変化したときのコアンダ羽根３２及び水平羽根３１の羽根角度組合せを示している。また、図５に示す水平羽根３１の羽根角度θｈとは、図６に示すように、水平羽根３１の外側面３１ａの前後端を結ぶ直線Ｌｈと、水平線との角度のことである。そして、図５に示すコアンダ羽根３２の羽根角度θｃとは、コアンダ羽根３２の外側面３２ａの前後端を結ぶ直線Ｌｃと、水平線との角度のことである。ここで、羽根角度θｈ及び羽根角度θｃは絶対値ではなく、水平線よりも下方となる場合は負の値である。そして、水平羽根３１及びコアンダ羽根３２の開き角度（相対角度）θは、式：θ＝θｃ−θｈで表すことができる。
【００７５】
図７、図８及び図９は、コアンダ羽根３２及び水平羽根３１の羽根角度組合せが、図５に示す各領域にあるときの吹出空気の流れを示す概念図である。
【００７６】
なお、図５は、垂直羽根２０の姿勢を複数の羽根片２１の面が吹出口１５の長手方向に対して垂直に位置する前方吹き姿勢に固定し、かつ、室内ファン１４の風量を変化させずに所定の風量に固定して、コアンダ羽根３２に対する水平羽根３１の羽根角度（姿勢）を変更することで、評価試験を行った結果である。
【００７７】
コアンダ羽根３２及び水平羽根３１の羽根角度組合せを変更して、コアンダ羽根３２及び水平羽根３１の相対角度を変えると、図７に示すように、コアンダ羽根３２の外側面３２ａの略全域でコアンダ気流が生じる状態（以下、第１気流状態という）と、図８に示すように、コアンダ羽根３２の外側面３２ａに沿ったコアンダ気流が生じない状態（以下、第２気流状態という）と、図９に示すように、コアンダ羽根３２の外側面３２ａの一部でコアンダ気流が生じる状態（以下、第３気流状態という）と、の３つの気流状態に変化した。
【００７８】
なお、「コアンダ羽根３２の外側面３２ａの略全域でコアンダ気流が生じる」状態には、吹出空気がコアンダ羽根３２の外側面３２ａ全域に付着した流れになっている状態の他に、例えば、本実施形態のように、コアンダ羽根３２の長手方向の寸法が吹出口１５の長手方向の寸法よりも長い場合には、吹出空気がコアンダ羽根３２の外側面３２ａにおいて吹出口１５と対向する部分全域に付着した流れになっている状態も含まれる。
【００７９】
例えば、コアンダ羽根３２の羽根角度θｃを２５度に固定した場合、水平羽根３１の羽根角度θｈを−１５度以下に（０度から遠ざかるように）すれば、第２気流状態になる。また、例えば、コアンダ羽根３２の羽根角度θｃを２５度に固定した場合、水平羽根３１の羽根角度θｈを−９度以上に（０度に近くなるように）すれば、第１気流状態になる。さらに、コアンダ羽根３２の羽根角度θｃを２５度に固定した場合、水平羽根３１の羽根角度θｈを−１１度や−１２度にすれば、第３気流状態になる。
【００８０】
これらの結果から、コアンダ羽根３２及び水平羽根３１の羽根角度組合せとして、第１気流状態となる羽根角度組合せ領域（図５に示す羽根角度組合せθ１よりもコアンダ羽根３２及び水平羽根３１の相対角度が小さい羽根角度組合せ領域、以下、第１領域という）と、第２気流状態となる羽根角度組合せ領域（図５に示す羽根角度組合せθ４よりもコアンダ羽根３２及び水平羽根３１の相対角度が大きい羽根角度組合せ領域、以下、第２領域という）と、の間に、第３気流状態となる羽根角度組合せ領域（図５に示す羽根角度組合せθ１と羽根角度組合せθ４との間に挟まれる羽根角度組合せ領域、以下、第３領域という）が存在することが判明した。
【００８１】
そして、コアンダ羽根３２及び水平羽根３１の羽根角度組合せが、第１領域の所定の羽根角度組合せにあるときのコアンダ羽根３２及び水平羽根３１の相対角度は、第３領域の所定の羽根角度組合せにあるときのコアンダ羽根３２及び水平羽根３１の相対角度よりも小さく、第２領域の所定の羽根角度組合せにあるときのコアンダ羽根３２及び水平羽根３１の相対角度は、第３領域の所定の羽根角度組合せにあるときのコアンダ羽根３２及び水平羽根３１の相対角度よりも大きいことから、コアンダ羽根３２及び水平羽根３１の相対角度の角度範囲として、第１気流状態となる第１角度範囲と、第２気流状態となる第２角度範囲との間に、第３気流状態となる第３角度範囲が存在していることを見出した。
【００８２】
なお、コアンダ羽根３２及び水平羽根３１の相対角度が第３角度範囲の所定角度となる所定の姿勢をコアンダ羽根及び水平羽根が採っている場合には、コアンダ羽根３２の外側面３２ａに沿ったコアンダ気流のうち、コアンダ羽根３２の外側面３２ａの両端部の気流が中央寄りに偏向した流れになっている（図９（ｃ）参照）。すなわち、ここでいう第３気流状態とは、コアンダ羽根３２の外側面３２ａの中央部（一部）ではコアンダ気流が発生しているが、コアンダ羽根３２の外側面３２ａの両端部（他部）ではコアンダ気流が発生していない状態のことである。これは、コアンダ羽根３２の側方の空気が、コアンダ気流の動圧によって、コアンダ羽根３２の両端部からコアンダ気流に引き込まれることで、コアンダ羽根３２の両端部に沿う気流が、側方からの空気に押されて中央部寄りの不安定な気流になっていると考えられる。
【００８３】
さらに、例えば、コアンダ羽根３２の羽根角度θｃを２５度に固定した状態で、水平羽根３１の羽根角度θｈを−１２度から徐々に大きく（０度に近くなるように）していくと、水平羽根３１の羽根角度θｈが−９度になったときに、第３気流状態から第１気流状態に切り換わる。一方で、コアンダ羽根３２の羽根角度θｃを２５度に固定した状態で、水平羽根３１の羽根角度θｈを−８度から徐々に小さく（０度から遠ざかるように）していくと、水平羽根３１の羽根角度θｈが−１０度になったときに、第１気流状態から第３気流状態に切り換わる。
【００８４】
また、例えば、コアンダ羽根３２の羽根角度θｃを２５度に固定した状態で、水平羽根３１の羽根角度θｈを−２０度から徐々に大きく（０度に近くなるように）していくと、水平羽根３１の羽根角度θｈが−１３度になったときに、第２気流状態から第３気流状態に切り換わる。一方で、コアンダ羽根３２の羽根角度θｃを２５度に固定した状態で、水平羽根３１の羽根角度θｈを−１２度から徐々に小さく（０度から遠ざかるように）していくと、水平羽根３１の羽根角度θｈが−１５度になったときに、第３気流状態から第２気流状態に切り換わる。
【００８５】
これらの結果から、第３気流状態から第１気流状態に変化するときの羽根角度組合せθ１の相対角度と、第１気流状態から第３気流状態に変化するときの羽根角度組合せθ２の相対角度と、が異なっていることが判明した。さらに、第３気流状態から第２気流状態に変化するときの羽根角度組合せθ４の相対角度と、第２気流状態から第３気流状態に変化するときの羽根角度組合せθ３の相対角度と、が異なっていることが判明した。
【００８６】
すなわち、コアンダ羽根３２及び水平羽根３１の相対角度を、第１角度範囲の所定角度から徐々に大きくした場合に第１気流状態から第３気流状態に変化するときの角度と、第３角度範囲の所定角度から徐々に小さくした場合に第３気流状態から第１気流状態に変化するときの角度とが、異なっていることを見出した。また、コアンダ羽根３２及び水平羽根３１の相対角度を、第２角度範囲の所定角度から徐々に小さくした場合に第２気流状態から第３気流状態に変化するときの角度と、第３角度範囲の所定角度から徐々に大きくした場合に第３気流状態から第２気流状態に変化するときの角度とが、異なっていることを見出した。
【００８７】
このことから、本発明者は、コアンダ羽根３２及び水平羽根３１の羽根角度組合せには、第３気流状態から第１気流状態に変化するときの羽根角度組合せθ１と、第１気流状態から第３気流状態に変化するときの羽根角度組合せθ２との間の羽根角度組合せ領域（以下、第４領域という）と、第３気流状態から第２気流状態に変化するときの羽根角度組合せθ４と、第２気流状態から第３気流状態に変化するときの羽根角度組合せθ３との間の羽根角度組合せ領域（以下、第５領域という）とが、ヒステリシス領域であることを発見した。すなわち、第３領域には、第４領域と、第５領域と、羽根角度組合せθ２と羽根角度組合せθ３との間の羽根角度組合せ領域（以下、第６領域という）と、が含まれることを見出した。
【００８８】
そこで、本発明者は、第１気流状態を用いるときのコアンダ羽根３２及び水平羽根３１の相対角度の角度範囲を第１角度範囲に設定し、第２気流状態を用いるときのコアンダ羽根３２及び水平羽根３１の相対角度の角度範囲を第２角度範囲に設定した。さらに、第１角度範囲を、第３角度範囲を除く角度範囲に設定し、第１角度範囲の上限角度を羽根角度組合せθ１の相対角度に設定した。また、第２角度範囲を、第３角度範囲を除く角度範囲に設定し、第２角度範囲の下限角度を羽根角度組合せθ４の相対角度に設定した。
【００８９】
そして、第１気流状態を用いるコアンダ気流利用モードで採用するコアンダ羽根３２及び水平羽根３１のそれぞれの姿勢として、コアンダ羽根３２及び水平羽根３１の相対角度が第１角度範囲の所定角度となる所定の姿勢を採用し、第２気流状態を用いる通常吹出モードで採用するコアンダ羽根３２及び水平羽根３１のそれぞれの姿勢として、コアンダ羽根３２及び水平羽根３１の相対角度が第２角度範囲の所定角度となる所定の姿勢を採用することにした。
【００９０】
これにより、第１気流状態が用いられる場合には、コアンダ羽根３２及び水平羽根３１の相対角度が第１角度範囲の所定角度に調整され、第２気流状態が用いられる場合には、コアンダ羽根３２及び水平羽根３１の相対角度が第２角度範囲の所定角度に調整されるため、コアンダ羽根３２及び水平羽根３１の相対角度を調整することで、第１気流状態と第２気流状態とを選択的に用いることができる。
【００９１】
なお、コアンダ気流利用モードにおいて、より確実にコアンダ羽根３２の外側面３２ａ全域でコアンダ気流を生じさせるためには、第１角度範囲の上限角度を、羽根角度組合せθ１の相対角度よりも小さい角度に設定すればよい。また、通常吹出モードにおいて、より確実にコアンダ羽根３２の外側面３２ａにおいてコアンダ気流を生じさせないためには、第２角度範囲の下限角度を、羽根角度組合せθ４の相対角度よりも大きい角度に設定すればよい。
【００９２】
（５）特徴
（５−１）
本発明者は、コアンダ羽根３２と水平羽根３１とが共同して吹出空気をコアンダ羽根３２の下面に沿ったコアンダ気流にする空調室内機において、コアンダ羽根３２及び水平羽根３１の相対角度の角度範囲として、コアンダ羽根３２の外側面３２ａの略全域でコアンダ気流が発生する第１気流状態となる第１角度範囲と、第１角度範囲よりも大きい角度範囲であって、コアンダ羽根３２の外側面３２ａに沿ったコアンダ気流が発生しない第２気流状態となる第２角度範囲とが存在することを発見した。
【００９３】
そこで、本実施形態では、制御部４０が、第１気流状態と第２気流状態とのいずれかを選択的に用いるために、コアンダ羽根３２及び水平羽根３１の相対角度を調整している。より詳しくは、制御部４０は、コアンダ羽根３２及び水平羽根３１の相対角度を、第１角度範囲の所定角度に調整して第１気流状態を用いるようにしており、第２角度範囲の所定角度にして第２気流状態を用いるようにしている。具体的には、第１気流状態を用いるコアンダ気流利用モードを実行する場合には、制御部４０は、コアンダ羽根３２及び水平羽根３１の相対角度が第１角度範囲の所定角度となる所定の姿勢をコアンダ羽根３２及び水平羽根３１に採らせる。一方で、第２気流状態を用いる通常吹出モードを実行する場合には、制御部４０は、コアンダ羽根３２及び水平羽根３１の相対角度が第２角度範囲の所定角度となる所定の姿勢をコアンダ羽根３２及び水平羽根３１に採らせる。このように、コアンダ羽根３２及び水平羽根３１の相対角度を、第１角度範囲又は第２角度範囲の所定角度に調整することで、第１気流状態と第２気流状態とのいずれかを、選択的に用いることができる。
【００９４】
これによって、第１気流状態を用いたコアンダ気流利用モード、及び、第２気流状態を用いた通常吹出モードのいずれのモードにおいても、安定した気流を生じさせることができている。
【００９５】
（５−２）
本発明者は、コアンダ羽根３２及び水平羽根３１の相対角度の角度範囲として、第１気流状態となる第１角度範囲と、第２気流状態となる第２角度範囲との間に、コアンダ羽根３２の外側面３２ａの一部でコアンダ気流が発生する第３気流状態となる第３角度範囲が存在していることを発見した。
【００９６】
そこで、本実施形態では、第１角度範囲及び第２角度範囲が、第３角度範囲を除く角度範囲で設定されている。このため、コアンダ羽根３２の外側面３２ａの略全域でコアンダ気流を発生させる第１気流状態が用いられるときに、コアンダ羽根３２の外側面３２ａの一部でしかコアンダ気流が発生しないおそれを低減することができる。また、コアンダ羽根３２の外側面３２ａにおいてコアンダ気流を発生させない第２気流状態が用いられるときに、コアンダ羽根３２の外側面３２ａの一部でコアンダ気流が発生するおそれを低減することができる。この結果、第１気流状態及び第２気流状態のいずれの気流状態が用いられても、安定した気流を生じさせることができている。
【００９７】
ここで、第１気流状態及び第２気流状態のいずれかが選択的に用いられる空調室内機において、コアンダ羽根及び水平羽根の相対角度を、第１角度範囲の所定角度から第２角度範囲の所定角度にするときや、第２角度範囲の所定角度から第１角度範囲の所定角度にするときに、コアンダ羽根及び水平羽根の相対角度が第１角度範囲及び第２角度範囲以外の角度範囲の所定角度となることで第１気流状態及び第２気流状態以外の所定の気流状態となる場合には、第１気流状態から所定の気流状態となった後に第２気流状態になることや、第２気流状態から所定の気流状態となった後に第１気流状態となることは許容される。
【００９８】
そして、本実施形態では、第３角度範囲は第１角度範囲と第２角度範囲との間の角度範囲であることから、コアンダ羽根３２及び水平羽根３１の相対角度を、第１角度範囲の所定角度から第２角度範囲の所定角度にするときには、コアンダ羽根３２及び水平羽根３１の相対角度が、一時的に必ず、第３角度範囲の所定角度になり、また、第２角度範囲の所定角度から第１角度範囲の所定角度にするときには、コアンダ羽根３２及び水平羽根３１の相対角度が、一時的に必ず、第３角度範囲の所定角度になる。このため、第１気流状態から第２気流状態に切り換わるとき、及び、第２気流状態から第１気流状態に切り換わるときには、瞬間的に第３気流状態になる。
【００９９】
（５−３）
本実施形態では、第１角度範囲の上限角度が、コアンダ羽根３２及び水平羽根３１の相対角度を、第２角度範囲の所定角度から徐々に小さくした場合に、第３気流状態から第１気流状態に変化する羽根角度組合せθ１の相対角度に設定されている。このため、第１気流状態が用いられるコアンダ気流利用モードにおいて、第３気流状態となるおそれを低減することができる。これにより、コアンダ気流利用モードにおいて、安定したコアンダ気流を生じさせることができている。
【０１００】
（５−４）
本実施形態では、第２角度範囲の下限角度が、コアンダ羽根３２及び水平羽根３１の相対角度を、第１角度範囲の所定角度から徐々に大きくした場合に、第３気流状態から第２気流状態に変化する羽根角度組合せθ４の相対角度に設定されている。このため、第２気流状態が用いられる通常吹出モードにおいて、第３気流状態となるおそれを低減することができる。これにより、通常吹出モードにおいて、コアンダ気流が生じるおそれを低減することができている。
【０１０１】
（５−５）
例えば、第１気流状態が用いられるときのコアンダ羽根３２及び水平羽根３１の姿勢が、第４領域の所定の羽根角度組合せとなる所定の姿勢に設定されている場合、言い換えると、第１気流状態が用いられるときのコアンダ羽根３２及び水平羽根３１の相対角度が、羽根角度組合せθ１の相対角度から羽根角度組合せθ２の相対角度までの間の角度範囲、すなわち、ヒステリシス領域である第４領域の羽根角度組合せの相対角度の角度範囲（以下、第４角度範囲という）の所定角度となるように設定されている場合には、何らかの事象（例えば、気流の乱れなど）により、第１気流状態から第３気流状態に変化したり、第３気流状態から第１気流状態に変化したりする可能性が高くなる。
【０１０２】
そこで、本実施形態では、第３角度範囲には第４角度範囲が含まれており、第１角度範囲が第３角度範囲を除く角度範囲で設定されている。このため、第１気流状態が用いられているときに、第３気流状態となるおそれを低減することができる。
【０１０３】
これによって、コアンダ気流利用モードにおいて、安定したコアンダ気流を発生させることができている。
【０１０４】
（５−６）
例えば、第２気流状態が用いられるときのコアンダ羽根３２及び水平羽根３１の姿勢が、第５領域の所定の羽根角度組合せとなる所定の姿勢に設定されている場合、言い換えると、第２気流状態が用いられているときのコアンダ羽根３２及び水平羽根３１の相対角度が、羽根角度組合せθ３の相対角度から羽根角度組合せθ４の相対角度までの間の角度範囲、すなわち、ヒステリシス領域である第５領域の羽根角度組合せの相対角度の角度範囲（以下、第５角度範囲という）の所定角度となるように設定されている場合には、何らかの事象（例えば、気流の乱れなど）により、第２気流状態から第３気流状態に変化したり、第３気流状態から第２気流状態に変化したりする可能性が高くなる。
【０１０５】
そこで、本実施形態では、第３角度範囲には第５角度範囲が含まれており、第２角度範囲が第３角度範囲を除く角度範囲で設定されている。このため、第２気流状態が用いられているときに、第３気流状態となるおそれを低減することができる。
【０１０６】
これによって、通常吹出モードにおいて、コアンダ気流が発生しないようにすることができている。
【０１０７】
（６）変形例
（６−１）変形例１Ａ
水平羽根３１が吹出口１５を開けている状態では、吹出口１５から吹き出された吹出空気は、水平羽根３１の内側面３１ｂに概ね沿って流れる。そして、水平羽根３１の内側面３１ｂがスクロール面１７の終端Ｆの接線Ｌ０よりも上側にある場合には、スクロール面１７の終端Ｆの接線方向に概ね沿って吹き出された吹出空気は、その風向きが水平羽根３１によって上向きに変更される。一方で、水平羽根３１の内側面３１ｂがスクロール面１７の終端Ｆの接線Ｌ０よりも下側にある場合、水平羽根３１の姿勢によっては、スクロール面１７の終端Ｆの接線方向に概ね沿って吹き出された吹出空気は、その風向きが水平羽根３１によって上向きに変更されないことがある。
【０１０８】
このため、吹出空気の風向きが、水平羽根３１によって変更された後、さらにコアンダ効果により変更される構成の空調室内機１０において、水平羽根３１の内側面３１ｂが終端Ｆの接線Ｌ０よりも下側の位置にあると、コアンダ羽根３２及び水平羽根３１の相対角度が第１角度範囲の所定角度となる所定の姿勢をコアンダ羽根３２及び水平羽根３１が採っていたとしても、吹出空気の風向きを水平羽根３１の内側面３１ｂで変更（規制）できないことで、コアンダ気流が発生しないことがある。
【０１０９】
そこで、第１気流状態が用いられる場合には、コアンダ羽根３２及び水平羽根３１の相対角度が第１角度範囲の所定角度となる姿勢であって、かつ、水平羽根３１の内側面３１ｂが、終端Ｆの接線Ｌ０の仮想延長線、すなわち、スクロース面１７の仮想延長面よりも上側の位置となる姿勢を、コアンダ羽根３２及び水平羽根３１に採らせることで、吹出空気を水平羽根３１の内側面３１ｂで規制することができる。この結果、吹出空気をコアンダ羽根３２の外側面３２ａに向かって規制することができるため、第１気流状態が用いられる場合にコアンダ気流が生じないおそれを低減することができる。
【産業上の利用可能性】
【０１１０】
本発明は、コアンダ羽根及び水平羽根の相対角度を調整することで、コアンダ気流を利用した気流状態及びコアンダ気流を利用しない気流状態のいずれの気流状態であっても、安定した気流を生じさせることができるため、コアンダ気流を利用した気流状態とコアンダ気流を利用しない気流状態とを選択的に用いる空調室内機への適用が有効である。
【符号の説明】
【０１１１】
１０      空調室内機
１１      ケーシング
１４      室内ファン（ファン）
１５      吹出口
１７      スクロース面
１８      吹出流路（流路）
３１      水平羽根
３１ｂ    内側面（規制面）
３２      コアンダ羽根
３２ａ    外側面（下面）
４０      制御部
【先行技術文献】
【特許文献】
【０１１２】
【特許文献１】特開２００３−２３２５３１号公報
【図１】
0005338895.tif 000002
【図２】
0005338895.tif 000003
【図３】
0005338895.tif 000004
【図４Ａ】
0005338895.tif 000005
【図４Ｂ】
0005338895.tif 000006
【図４Ｃ】
0005338895.tif 000007
【図４Ｄ】
0005338895.tif 000008
【図４Ｅ】
0005338895.tif 000009
【図５】
0005338895.tif 000010
【図６】
0005338895.tif 000011
【図７】
0005338895.tif 000012
【図８】
0005338895.tif 000013
【図９】
0005338895.tif 000014